(57)【特許請求の範囲】
【請求項１】
被取付部の口に着脱可能に取り付けられるキャップ本体（２）と、棒状部品（３）と、キャップ本体（２）と棒状部品（３）との間に介在してキャップ本体（２）と棒状部品（３）とを一体化するための介在部材（４）とを含み、介在部材（４）はキャップ本体（２）に対して回転しない限り介在部材（４）の介在部材側係止部（１９，２６）とキャップ本体（２）のキャップ本体側係止部（１１，２５）との係止によりキャップ本体（２）に対して止まっている関係にあり、棒状部品（３）は介在部材（４）の穴（２０，２７）に一旦差し込めば棒状部品（３）の上端部の可撓引掛部（１８）が穴（２０，２７）の抜け止め形状部（２２，２８）に係止して二度と抜けない関係にあり、さらに、棒状部品（３）は上端部が介在部材（４）の穴（２０，２７）とキャップ本体（２）の回り止め形状部（１３，２９）とに同時に係合して介在部材（４）がキャップ本体（２）に対して回転するのを止める関係にあることを特徴とする棒状部品一体型キャップ。
【請求項２】
被取付部の口に着脱可能に取り付けられるキャップ本体（２）と、棒状部品（３）と、キャップ本体（２）と棒状部品（３）との間に介在してキャップ本体（２）と棒状部品（３）とを一体化するための介在部材（４）とを含み、キャップ本体（２）は、棒状部品（３）の上端折曲部（１７）が係合する回り止め係合部（１３，２９）と、介在部材（４）に係止するキャップ本体側係止部（１１，２５）とを備え、棒状部品（３）は、上端部にキャップ本体（２）の回り止め係合部（１３，２９）に係合する上端折曲部（１７）と、上端折曲部（１７）で折り曲げてなり介在部材（４）の抜け止め形状部（２２，２８）に引っ掛かる可撓引掛部（１８）とを備え、介在部材（４）は、キャップ本体（２）のキャップ本体側係止部（１１，２５）に係止する介在部材側係止部（１９，２６）と、棒状部品（３）が介在部材（４）内で回転することを規制する貫通穴（２０，２７）と、棒状部品（３）の貫通穴（２０，２７）からの抜けを防止する抜け止め形状部（２２，２８）とを備えることを特徴とする棒状部品一体型キャップ。
【発明の詳細な説明】
【０００１】
【産業上の利用分野】
本発明は、各種用途のキャップ本体に各種用途の棒状部品を一体化した棒状部品一体型キャップに関するものである。
【０００２】
【従来の技術及び発明が解決しようとする課題】
内燃機関のシリンダヘッドカバーのオイル注入口に着脱可能に取り付けられるオイルキャップと、シリンダブロックのゲージ差込口に差し込まれてオイルパン内のオイルレベルを測るためのオイルレベルゲージとを一体化して、部品点数を削減し、コストダウンを図る試みがある。このようなキャップと棒状部品との一体化には、次のような方法が考えられるが、いずれにも問題がある。
【０００３】
（１）棒状部品の端部をインサート部とし、キャップを樹脂でインサート射出成形する方法。この方法によればキャップと棒状部品とを強固に一体化できるが、インサート射出成形は工程が多く、かえってコストアップしやすい。
（２）キャップと棒状部品とを接着剤で接着する方法。この方法は簡単に実施できるが、使用状況によってはキャップから棒状部品が脱落する可能性がある。
（３）キャップと棒状部品とを別部品の溶着によって一体化する方法。この方法でも、使用状況によってはキャップから棒状部品が脱落する可能性がある。
（４）棒状部品に切った雄ネジをキャップに開けた穴に貫通させ、この雄ネジを雌ネジで締め付ける方法。この方法も簡単に実施できるが、キャップと棒状部品との間のシール性に問題があり、キャップが穴を起点に割れるおそれもある。
【０００４】
本発明の目的は、上記課題を解決し、キャップと棒状部品とを強固に一体化でき、一体化後にキャップから棒状部品が脱落する心配がない棒状部品一体型キャップを提供することにある。
【０００５】
【課題を解決するための手段】
上記目的を達成するために、本発明の棒状部品一体型キャップは、被取付部の口に着脱可能に取り付けられるキャップ本体と、棒状部品と、キャップ本体と棒状部品との間に介在してキャップ本体と棒状部品とを一体化するための介在部材とを含み、介在部材はキャップ本体に対して回転しない限り介在部材の介在部材側係止部とキャップ本体のキャップ本体側係止部との係止によりキャップ本体に対して止まっている関係にあり、棒状部品は介在部材の穴に一旦差し込めば棒状部品の上端部の可撓引掛部が穴の抜け止め形状部に係止して二度と抜けない関係にあり、さらに、棒状部品は上端部が介在部材の穴とキャップ本体の回り止め形状部とに同時に係合して介在部材がキャップ本体に対して回転するのを止める関係にあることを特徴としている。
また、本発明の棒状部品一体型キャップは、被取付部の口に着脱可能に取り付けられるキャップ本体と、棒状部品と、キャップ本体と棒状部品との間に介在してキャップ本体と棒状部品とを一体化するための介在部材とを含み、キャップ本体は、棒状部品の上端折曲部が係合する回り止め係合部と、介在部材に係止するキャップ本体側係止部とを備え、棒状部品は、上端部にキャップ本体の回り止め係合部に係合する上端折曲部と、上端折曲部で折り曲げてなり介在部材の抜け止め形状部に引っ掛かる可撓引掛部とを備え、介在部材は、キャップ本体のキャップ本体側係止部に係止する介在部材側係止部と、棒状部品が介在部材内で回転することを規制する貫通穴と、棒状部品の貫通穴からの抜けを防止する抜け止め形状部とを備えることを特徴とする。
【０００６】
【作用】
本発明の棒状部品一体型キャップは、介在部材がキャップ本体から外れることはなく、棒状部品が介在部材から抜けることはないので、結局、棒状部品がキャップ本体から脱落する心配はない。
【０００７】
【実施例】
以下、本発明を内燃機関のオイルレベルゲージ一体型オイルキャップに具体化した実施例について、図面を参照して説明する。
図１〜図４に示す第一実施例のオイルレベルゲージ一体型オイルキャップ１は、図４に示すように、シリンダヘッドカバー５のオイル注入口に着脱可能に取り付けられるキャップ本体２と、シリンダヘッド６内及びシリンダブロック（図示略）内を経てオイルパン（図示略）内のオイルレベルを測るためのオイルレベルゲージ３と、図１〜図３に示すように、キャップ本体２とオイルレベルゲージ３との間に介在して両者２，３を一体化するための介在部材４とからなる。
【０００８】
キャップ本体２は、外周に複数の指掛け凹部７を有する円盤状の蓋部８と、該蓋部８の下面から下方へ突出した円筒状のねじ込み部９とが、樹脂で一体的に成形されてなるものである。ねじ込み部９の外周面にはオイル注入口の雌ねじ（図示略）に螺合する雄ねじ１０が形成され、ねじ込み部９の内周面には雌ねじ１１が形成されている。ねじ込み部９より内側にある蓋部８の下面中央部は凹所１２となっており、凹所１２の内底部には十字状にクロスする二つの回り止め溝１３が形成されている。ねじ込み部９より外側にある蓋部８の下面にはＯリング（図示略）を嵌めるための嵌合溝１４が形成されている。
【０００９】
オイルレベルゲージ３は金属丸棒で形成され、下端には金属丸棒の数十ｍｍ分を偏平に圧縮変形してなるオイルレベル検知部１５が形成されている。オイルレベルゲージ３の上端部は、下から真直に延びる真直部１６と、真直部１６に続く上端折曲部１７と、金属丸棒の端部の十数ｍｍ〜数十ｍｍ分を前記上端折曲部１７で鋭角的にかつ塑性的に折り曲げてなり弾性的にたわみ得る可撓引掛部１８とからなる。
【００１０】
介在部材４は樹脂で円柱状に形成され、下半分の外周面にはねじ込み部９の雌ねじ１１に螺合する雄ねじ１９が形成されている。また、この螺合時に、介在部材４の上半分は蓋部８の凹所１２に進入するようになっている。介在部材４の中心部には、穴断面幅がオイルレベルゲージ３の金属丸棒の外径よりわずかに大きく、穴断面長が上側ほどテーパー状に広がるテーパー長穴２０が貫通形成されている。テーパー長穴２０の内面の一方側はストレート内縁２１で、他方側は介在部材４の上端側ほど広がるテーパー内縁２２となっている。また、テーパー長穴２０の下端の穴断面長（穴開口長）は、差し込む前のオイルレベルゲージ３の真直部１６から可撓引掛部１８の先端までの距離より小さい。
【００１１】
上記オイルレベルゲージ一体型オイルキャップ１を組み立てるには、まず、図２に示すように、雌ねじ１１に雄ねじ１９を螺合して、ねじ込み部９の内側に介在部材４をねじ込み、蓋部８の凹所１２に介在部材４の上半分を進入させる。そして、十字状にクロスする二つの回り止め溝１３のいずれか一方に、テーパー長穴２０の方向を合致させる。
【００１２】
この状態で、図２に示すように、テーパー長穴２０に下方からオイルレベルゲージ３の上端部を差し込んで係合させる。このとき、真直部１６をストレート内縁２１側に対応させ、可撓引掛部１８をテーパー内縁２２側に対応させる。この差し込み始めに、可撓引掛部１８はテーパー長穴２０の開口縁に当たって内側へ弾性的にたわみながらテーパー長穴２０に進入する。
【００１３】
さらに差し込んでゆくと、図１に示すように、上端折曲部１７が回り止め溝１３に係合してその溝底に突き当たる。このとき、
▲１▼  上端折曲部１７は回り止め溝１３のうちでもキャップ本体２の中心から外れたオフセット位置に係合し、しかも、上端折曲部１７は回り止め溝１３に対して点当たりではなく線当たりする。従って、オイルレベルゲージ３はキャップ本体２に対して回転しないし、オイルレベルゲージ３に対して回転しない介在部材４もまた、キャップ本体２に対して回転しない。よって、雌ねじ１１と雄ねじ１９との螺合が緩むことはないから、介在部材４がキャップ本体２から外れることはない。
【００１４】
▲２▼  また、可撓引掛部１８の先端はテーパー内縁２２に弾性力をもって当接する。可撓引掛部１８の前記たわみは、多少戻るものの依然として残っているからである。そして、オイルレベルゲージ３にこれを抜く力がかかったとき、可撓引掛部１８はより外側に広がろうとし、その先端はテーパー内縁２２をより強く押圧するので、オイルレベルゲージ３が介在部材４から抜けることは二度とない。
【００１５】
このように、▲１▼介在部材４がキャップ本体２から外れることはなく、▲２▼オイルレベルゲージ３が介在部材４から抜けることはないので、結局、オイルレベルゲージ３がキャップ本体２から脱落する心配は全くない。
【００１６】
上記の状態をまとめれば、介在部材４はキャップ本体２に対して回転しない限りキャップ本体２に対して止まっている関係にある。
また、オイルレベルゲージ３は介在部材４のテーパー長穴２０に一旦差し込めば二度と抜けない関係にある。
さらに、オイルレベルゲージ３は介在部材４のテーパー長穴２０とキャップ本体２の回り止め溝１３とに同時に係合して、介在部材４がキャップ本体２に対して回転するのを止める関係にある。
【００１７】
次に、図５及び図６に示す第二実施例は、キャップ本体２に対して介在部材４をツイストロック方式によって取り付けた点においてのみ、第一実施例と相違している。すなわち、キャップ本体２のねじ込み部９の内周面に、前記雌ねじ１１に代えて複数の係止爪２５を周方向に間隔をおいて形成し、また、介在部材４の外周面に、前記雄ねじ１９に代えて前記係止爪２５と係止し得る複数の係止爪２６を周方向に間隔をおいて形成する。そして、係止爪２５相互間の間隔に係止爪２６を通し、介在部材４を少し回転させることにより、両係止爪２５，２６を係止させる。
【００１８】
本実施例においても、介在部材４はキャップ本体２に対して回転しない限りキャップ本体２に対して止まっている関係にあり、他の関係も第一実施例と同様である。従って、本実施例によっても第一実施例と同様の効果が得られ、さらに、介在部材４を何回も回転させなくてもキャップ本体２に対して止められるという効果がある。
【００１９】
次に、図７に示す第三実施例は、介在部材４に、前記テーパー長穴２０に代えて段付き長穴２７を貫通形成した点においてのみ、第一実施例と相違している。この段付き長穴２７は、穴断面長が、下部で小さく、上部で段部２８を境にして大きくなっている。従って、差し込まれたオイルレベルゲージ３の可撓引掛部１８の先端は段部２８に係止する。
【００２０】
本実施例においても、オイルレベルゲージ３は介在部材４の段付き長穴２７に一旦差し込めば二度と抜けない関係にあり、他の関係も第一実施例と同様である。従って、本実施例によっても第一実施例と同様の効果が得られる。
【００２１】
次に、図８に示す第四実施例は、キャップ本体２に、前記回り止め溝１３に代えて一対の回り止め突起２９を形成した点においてのみ、第一実施例と相違している。キャップ本体２以外の各部材は、第一実施例と同一なので図示を省略するが、差し込まれたオイルレベルゲージの上端折曲部１７は両回り止め突起２９の間に進入して係止する。
【００２２】
本実施例においても、オイルレベルゲージ３は介在部材のテーパー長穴とキャップ本体２の回り止め突起２９とに同時に係合して、介在部材がキャップ本体２に対して回転するのを止める関係にあり、他の関係も第一実施例と同様である。従って、本実施例によっても第一実施例と同様の効果が得られる。
【００２３】
なお、本発明は前記実施例に限定されるものではなく、例えば以下のように、発明の趣旨から逸脱しない範囲で適宜変更して具体化することもできる。
（１）キャップ本体２のねじ込み部９とオイル注入口とを、前記ツイストロック方式にすること。
（２）オイルレベルゲージ一体型オイルキャップ以外の各種の棒状部品一体型キャップに具体化すること。キャップとしては、燃料キャップ、ラジエターキャップ、ブレーキ液キャップ、ウォッシャー液キャップ等を例示できる。棒状部品としては、レベルゲージ、ノベルセンサ、温度計等を例示できる。
【００２４】
【発明の効果】
本発明の棒状部品一体型キャップは、上記の通り構成されているので、キャップと棒状部品とを強固に一体化でき、一体化後にキャップから棒状部品が脱落する心配がないという優れた効果を奏する。
【図面の簡単な説明】
【図１】本発明を具体化した第一実施例のオイルレベルゲージ一体型オイルキャップの断面図である。
【図２】同オイルレベルゲージをオイルキャップに一体化する直前の断面図である。
【図３】同オイルレベルゲージ一体型オイルキャップの分解斜視図である。
【図４】同オイルレベルゲージ一体型オイルキャップを取り付けたシリンダヘッドカバーの斜視図である。
【図５】第二実施例のオイルレベルゲージ一体型オイルキャップの断面図である。
【図６】同オイルキャップのキャップ本体の底面図である。
【図７】第三実施例のオイルレベルゲージ一体型オイルキャップの断面図である。
【図８】第四実施例のオイルレベルゲージ一体型オイルキャップのキャップ本体を一部破断して示す斜視図である。
【符号の説明】
１    オイルレベルゲージ一体型オイルキャップ
２    キャップ本体
３    オイルレベルゲージ
４    介在部材
９    ねじ込み部
１１    雌ねじ
１３    回り止め溝
１７    上端折曲部
１８    可撓引掛部
１９    雄ねじ
２０    テーパー長穴
２５    係止爪
２６    係止爪
２７    段付き長穴
２８    段部
２９    回り止め突起
【図１】
0003584527.tif 000002
【図２】
0003584527.tif 000003
【図３】
0003584527.tif 000004
【図４】
0003584527.tif 000005
【図５】
0003584527.tif 000006
【図６】
0003584527.tif 000007
【図７】
0003584527.tif 000008
【図８】
0003584527.tif 000009